(57)【要約】【課題】画像表示装置から発生するノイズを効果的に遮断することにより、ＥＭＩ（Ｅｌｅｃｔｒｏ  Ｍａｇｎｅｔｉｃ  Ｉｎｔｅｒｆｅｒｅｎｃｅ）が発生することを防止するとともに、透過率を高め、視認性を改善することができるタッチパネルを提供する。【解決手段】本発明によるタッチパネル１００は、透明基板１１０と、透明基板１１０の一面にメッシュパターンに形成される第１電極パターン１２０と、透明基板１１０の他面にメッシュパターンに形成される第２電極パターン１３０と、透明基板１１０の他面に面状（Ｐｌａｎａｒ）に形成される導電膜１４０と、透明基板１１０の他面方向に備えられる画像表示装置１５０と、を含むものである。【選択図】図１
2013105488.tif 000002
【特許請求の範囲】
【請求項１】
透明基板と、
前記透明基板の一面にメッシュパターンに形成される第１電極パターンと、
前記透明基板の他面にメッシュパターンに形成される第２電極パターンと、
前記透明基板の他面に面状に形成される導電膜と、
前記透明基板の他面方向に備えられる画像表示装置と、を含むことを特徴とするタッチパネル。
【請求項２】
前記第１電極パターンまたは前記第２電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることを特徴とする請求項１に記載のタッチパネル。
【請求項３】
前記第１電極パターンまたは前記第２電極パターンは、銀塩乳剤層を露光／現像して形成された金属銀で形成されることを特徴とする請求項１に記載のタッチパネル。
【請求項４】
前記導電膜は、ポリ−３，４−エチレンジオキシチオフェン／ポリスチレンスルホネート（ＰＥＤＯＴ／ＰＳＳ）、ポリアニリン、ポリアセチレンまたはポリフェニレンビニレンで形成されることを特徴とする請求項１に記載のタッチパネル。
【請求項５】
前記第１電極パターンの端部に形成される第１電極配線と、
前記第２電極パターン及び前記導電膜の端部に形成される第２電極配線と、をさらに含むことを特徴とする請求項１に記載のタッチパネル。
【請求項６】
前記第１電極配線は前記第１電極パターンと一体に形成され、前記第２電極配線は前記第２電極パターンと一体に形成されることを特徴とする請求項５に記載のタッチパネル。
【請求項７】
第１透明基板と、
前記第１透明基板の一面にメッシュパターンに形成される第１電極パターンと、
第２透明基板と、
前記第２透明基板の一面にメッシュパターンに形成される第２電極パターンと、
前記第２透明基板の一面に面状に形成される導電膜と、
前記第１透明基板の一面と前記第２透明基板の一面とを接着させる接着層と、
前記第２透明基板の他面方向に備えられる画像表示装置と、を含むことを特徴とするタッチパネル。
【請求項８】
前記第１電極パターンまたは前記第２電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることを特徴とする請求項７に記載のタッチパネル。
【請求項９】
前記第１電極パターンまたは前記第２電極パターンは、銀塩乳剤層を露光／現像して形成された金属銀で形成されることを特徴とする請求項７に記載のタッチパネル。
【請求項１０】
前記導電膜は、ポリ−３，４−エチレンジオキシチオフェン／ポリスチレンスルホネート（ＰＥＤＯＴ／ＰＳＳ）、ポリアニリン、ポリアセチレンまたはポリフェニレンビニレンで形成されることを特徴とする請求項７に記載のタッチパネル。
【請求項１１】
前記第１電極パターンの端部に形成される第１電極配線と、
前記第２電極パターン及び前記導電膜の端部に形成される第２電極配線と、をさらに含むことを特徴とする請求項７に記載のタッチパネル。
【請求項１２】
前記第１電極配線は前記第１電極パターンと一体に形成され、前記第２電極配線は前記第２電極パターンと一体に形成されることを特徴とする請求項１１に記載のタッチパネル。
【請求項１３】
透明基板と、
前記透明基板の一面にメッシュパターンに形成される第１電極パターンと、
前記透明基板の一面に形成される絶縁層と、
前記絶縁層の露出面にメッシュパターンに形成される第２電極パターンと、
前記絶縁層の露出面に面状に形成される導電膜と、
前記絶縁層の露出面方向に備えられる画像表示装置と、を含むことを特徴とするタッチパネル。
【請求項１４】
前記第１電極パターンまたは前記第２電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることを特徴とする請求項１３に記載のタッチパネル。
【請求項１５】
前記第１電極パターンまたは前記第２電極パターンは、銀塩乳剤層を露光／現像して形成された金属銀で形成されることを特徴とする請求項１３に記載のタッチパネル。
【請求項１６】
前記導電膜は、ポリ−３，４−エチレンジオキシチオフェン／ポリスチレンスルホネート（ＰＥＤＯＴ／ＰＳＳ）、ポリアニリン、ポリアセチレンまたはポリフェニレンビニレンで形成されることを特徴とする請求項１３に記載のタッチパネル。
【請求項１７】
前記第１電極パターンの端部に形成される第１電極配線と、
前記第２電極パターン及び前記導電膜の端部に形成される第２電極配線と、をさらに含むことを特徴とする請求項１３に記載のタッチパネル。
【請求項１８】
前記第１電極配線は前記第１電極パターンと一体に形成され、前記第２電極配線は前記第２電極パターンと一体に形成されることを特徴とする請求項１７に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
このようなタッチパネルは、電子手帳、液晶表示装置（ＬＣＤ、Ｌｉｑｕｉｄ  Ｃｒｙｓｔａｌ  Ｄｉｓｐｌａｙ Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
一方、タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような様々な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在もっとも幅広い分野で用いられている方式は、抵抗膜方式タッチパネル及び静電容量方式タッチパネルである。
【０００７】
一方、タッチパネルは、特許文献１に開示されたように、金属を用いて電極パターンを形成しようとする研究が活発に行われている。このように金属で電極パターンを形成すると、優れた電気伝導度を有し、需給が円滑であるという長所がある。しかし、金属で電極パターンを形成する場合、ユーザに電極パターンが認識されることを防止するためにはマイクロメータ（μｍ）単位の薄い幅に形成しなければならないため、画像表示装置から発生するノイズを遮断することができない。このような画像表示装置のノイズは、ＥＭＩ（Ｅｌｅｃｔｒｏ  Ｍａｇｎｅｔｉｃ  Ｉｎｔｅｒｆｅｒｅｎｃｅ）を誘発して、タッチパネルの性能を低下させるという問題点がある。
【先行技術文献】
【特許文献】
【０００８】
【特許文献１】韓国公開特許第１０−２０１０−００９１４９７号公報
【発明の概要】
【発明が解決しようとする課題】
【０００９】
本発明は上記の問題点を解決するために導き出されたものであって、本発明の目的は、面状に形成された導電膜を採用して、画像表示装置から発生するノイズを効果的に遮断することができるタッチパネルを提供することにある。
【課題を解決するための手段】
【００１０】
本発明の好ましい第１実施例によるタッチパネルは、透明基板と、前記透明基板の一面にメッシュパターンに形成される第１電極パターンと、前記透明基板の他面にメッシュパターンに形成される第２電極パターンと、前記透明基板の他面に面状に形成される導電膜と、前記透明基板の他面方向に備えられる画像表示装置と、を含んで構成される。
【００１１】
ここで、前記第１電極パターンまたは前記第２電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることを特徴とする。
【００１２】
また、前記第１電極パターンまたは前記第２電極パターンは、銀塩乳剤層を露光／現像して形成された金属銀で形成されることを特徴とする。
【００１３】
また、前記導電膜は、ポリ−３，４−エチレンジオキシチオフェン／ポリスチレンスルホネート（ＰＥＤＯＴ／ＰＳＳ）、ポリアニリン、ポリアセチレンまたはポリフェニレンビニレンで形成されることを特徴とする。
【００１４】
また、前記第１電極パターンの端部に形成される第１電極配線と、前記第２電極パターン及び前記導電膜の端部に形成される第２電極配線と、をさらに含むことを特徴とする。
また、前記第１電極配線は前記第１電極パターンと一体に形成され、前記第２電極配線は前記第２電極パターンと一体に形成されることを特徴とする。
【００１５】
本発明の好ましい第２実施例によるタッチパネルは、第１透明基板と、前記第１透明基板の一面にメッシュパターンに形成される第１電極パターンと、第２透明基板と、前記第２透明基板の一面にメッシュパターンに形成される第２電極パターンと、前記第２透明基板の一面に面状に形成される導電膜と、前記第１透明基板の一面と前記第２透明基板の一面とを接着させる接着層と、前記第２透明基板の他面方向に備えられる画像表示装置と、を含んで構成される。
【００１６】
ここで、前記第１電極パターンまたは前記第２電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることを特徴とする。
【００１７】
また、前記第１電極パターンまたは前記第２電極パターンは、銀塩乳剤層を露光／現像して形成された金属銀で形成されることを特徴とする。
【００１８】
また、前記導電膜は、ポリ−３，４−エチレンジオキシチオフェン／ポリスチレンスルホネート（ＰＥＤＯＴ／ＰＳＳ）、ポリアニリン、ポリアセチレンまたはポリフェニレンビニレンで形成されることを特徴とする。
【００１９】
また、前記第１電極パターンの端部に形成される第１電極配線と、前記第２電極パターン及び前記導電膜の端部に形成される第２電極配線と、をさらに含むことを特徴とする。
【００２０】
また、前記第１電極配線は前記第１電極パターンと一体に形成され、前記第２電極配線は前記第２電極パターンと一体に形成されることを特徴とする。
【００２１】
本発明の好ましい第３実施例によるタッチパネルは、透明基板と、前記透明基板の一面にメッシュパターンに形成される第１電極パターンと、前記透明基板の一面に形成される絶縁層と、前記絶縁層の露出面にメッシュパターンに形成される第２電極パターンと、前記絶縁層の露出面に面状に形成される導電膜と、前記絶縁層の露出面方向に備えられる画像表示装置と、を含んで構成される。
【００２２】
ここで、前記第１電極パターンまたは前記第２電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることを特徴とする。
【００２３】
また、前記第１電極パターンまたは前記第２電極パターンは、銀塩乳剤層を露光／現像して形成された金属銀で形成されることを特徴とする。
【００２４】
また、前記導電膜は、ポリ−３，４−エチレンジオキシチオフェン／ポリスチレンスルホネート（ＰＥＤＯＴ／ＰＳＳ）、ポリアニリン、ポリアセチレンまたはポリフェニレンビニレンで形成されることを特徴とする。
【００２５】
また、前記第１電極パターンの端部に形成される第１電極配線と、前記第２電極パターン及び前記導電膜の端部に形成される第２電極配線と、をさらに含むことを特徴とする。
【００２６】
また、前記第１電極配線は前記第１電極パターンと一体に形成され、前記第２電極配線は前記第２電極パターンと一体に形成されることを特徴とする。
【発明の効果】
【００２７】
本発明によると、面状に形成された導電膜を採用して、画像表示装置から発生するノイズを効果的に遮断することにより、ＥＭＩ（Ｅｌｅｃｔｒｏ  Ｍａｇｎｅｔｉｃ  Ｉｎｔｅｒｆｅｒｅｎｃｅ）が発生することを防止することができる長所がある。
【００２８】
また、本発明によると、面状に形成された導電膜とメッシュパターンに形成された第２電極パターンをともに採用して、面抵抗を低下させることにより、導電膜の厚さを薄く形成することができ、これによってタッチパネルの透過率を高めることができる効果がある。
【００２９】
さらに、本発明によると、面状に形成された導電膜とメッシュパターンに形成された第２電極パターンをともに採用して、ユーザに認識される第２電極パターンのライン（Ｌｉｎｅ）の数を減らすことができ、これによってタッチパネルの視認性を改善することができる長所がある。
【図面の簡単な説明】
【００３０】
【図１】本発明の好ましい第１実施例によるタッチパネルの分解斜視図である。
【図２】本発明の好ましい第１実施例によるタッチパネルの断面図である。
【図３】本発明の好ましい第２実施例によるタッチパネルの分解斜視図である。
【図４】本発明の好ましい第２実施例によるタッチパネルの断面図である。
【図５】本発明の好ましい第３実施例によるタッチパネルの分解斜視図である。
【図６】本発明の好ましい第３実施例によるタッチパネルの断面図である。
【発明を実施するための形態】
【００３１】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３２】
以下、添付図面を参照して、本発明の好ましい実施例を詳細に説明する。
【００３３】
図１は、本発明の好ましい第１実施例によるタッチパネルの分解斜視図であり、図２は、本発明の好ましい第１実施例によるタッチパネルの断面図である。
【００３４】
図１及び図２に図示されたように、本実施例によるタッチパネル１００は、透明基板１１０と、透明基板１１０の一面にメッシュパターンに形成される第１電極パターン１２０と、透明基板１１０の他面にメッシュパターンに形成される第２電極パターン１３０と、透明基板１１０の他面に面状（Ｐｌａｎａｒ）に形成される導電膜１４０と、透明基板１１０の他面方向に備えられる画像表示装置１５０と、を含む構成である。
【００３５】
前記透明基板１１０は、第１、２電極パターン１２０、１３０及び導電膜１４０を形成する領域を提供する役割を有する。ここで、透明基板１１０は、第１、２電極パターン１２０、１３０及び導電膜１４０を支持することができる支持力と、画像表示装置１５０から提供される画像をユーザが認識できるようにする透明性を備えなければならない。上述の支持力及び透明性を考慮して、透明基板１１０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましいが、必ずしもこれに限定されるものではない。
【００３６】
一方、透明基板１１０の両面を活性化させるために、高周波処理またはプライマー（ｐｒｉｍｅｒ）処理を施すことが好ましい。透明基板１１０の両面を活性化させることにより、透明基板１１０と第１、２電極パターン１２０、１３０との間または透明基板１１０と導電膜１４０との間の接着力を向上することができる。
【００３７】
前記第１電極パターン１２０、前記第２電極パターン１３０及び前記導電膜１４０は、ユーザがタッチする際に信号を発生させて、コントローラでタッチ座標を認識できるようにする役割を有するものである。ここで、第１電極パターン１２０は、透明基板１１０の一面に形成され、第２電極パターン１３０及び導電膜１４０は、透明基板１１０の他面に形成されて、透明基板１１０を中心として対向する。
【００３８】
具体的には、第１電極パターン１２０または第２電極パターン１３０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせを用いて、メッシュパターン（Ｍｅｓｈ  Ｐａｔｔｅｒｎ）に形成することができる。この際、第１電極パターン１２０及び第２電極パターン１３０は、メッキ工程または蒸着工程により形成することができる。一方、第１電極パターン１２０及び第２電極パターン１３０を銅（Ｃｕ）で形成する場合、第１電極パターン１２０及び第２電極パターン１３０の表面は黒化処理することが好ましい。ここで、黒化処理とは、第１電極パターン１２０及び第２電極パターン１３０の表面を酸化させてＣｕ２ＯまたはＣｕＯを析出させることであり、Ｃｕ２Ｏは茶色を呈するためブラウンオキサイド（Ｂｌｏｗｎ  Ｏｘｉｄｅ）といい、ＣｕＯは黒色を呈するためブラックオキサイド（Ｂｌａｃｋ  Ｏｘｉｄｅ）という。このように、第１電極パターン１２０及び第２電極パターン１３０の表面を黒化処理することにより、光が反射することを防止することができ、これによってタッチパネル１００の視認性を改善することができる。
【００３９】
一方、上述の金属の他にも、第１電極パターン１２０または第２電極パターン１３０は、銀塩乳剤層を露光／現像して形成された金属銀で形成することができる。
【００４０】
また、導電膜１４０は、優れた柔軟性を有し、コーティング工程が単純な伝導性高分子を用いて面状に形成することができる。ここで、伝導性高分子は、ポリ−３，４−エチレンジオキシチオフェン／ポリスチレンスルホネート（ＰＥＤＯＴ／ＰＳＳ）、ポリアニリン、ポリアセチレンまたはポリフェニレンビニレンを含む。また、導電膜１４０は、乾式工程、湿式工程またはダイレクト（ｄｉｒｅｃｔ）パターニング工程により形成することができる。ここで、乾式工程はスパッタリング（Ｓｐｕｔｔｅｒｉｎｇ）、蒸着（Ｅｖａｐｏｒａｔｉｏｎ）などを意味し、湿式工程はディップコーティング（Ｄｉｐ  ｃｏａｔｉｎｇ）、スピンコーティング（Ｓｐｉｎ  ｃｏａｔｉｎｇ）、ロールコーティング（Ｒｏｌｌ  ｃｏａｔｉｎｇ）、スプレーコーティング（Ｓｐｒａｙ  ｃｏａｔｉｎｇ）などを意味し、ダイレクトパターニング工程はスクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）、インクジェット印刷法（Ｉｎｋｊｅｔ  Ｐｒｉｎｔｉｎｇ）などを意味する。
【００４１】
上述したように、第１電極パターン１２０及び第２電極パターン１３０は、両方ともメッシュパターンに形成されるが、このようなメッシュパターンの間には、開口部が存在するため、画像表示装置１５０から発生するノイズを遮断することが困難である。しかし、透明基板１１０の他面には、第２電極パターン１３０とともに導電膜１４０が面状に形成されるため、画像表示装置１５０から発生するノイズを効果的に遮断することができ、これにより、ＥＭＩ（Ｅｌｅｃｔｒｏ  Ｍａｇｎｅｔｉｃ  Ｉｎｔｅｒｆｅｒｅｎｃｅ）が発生することを防止することができる。また、面状の導電膜１４０とメッシュパターンの第２電極パターン１３０をともに形成して互いに通電するため、面抵抗を低下させることができる。従って、導電膜１４０の厚さを薄く形成して、タッチパネル１００の透過率を高めることができる。さらに、面状の導電膜１４０とメッシュパターンの第２電極パターン１３０をともに形成するため、ユーザに認識される第２電極パターン１３０のライン（Ｌｉｎｅ）の数を減らすことができ、これにより、タッチパネル１００の視認性を改善することができる。
【００４２】
一方、第１電極パターン１２０、第２電極パターン１３０及び導電膜１４０は、図面では棒形パターンに形成されているが、これに限定されるものではなく、第１電極パターン１２０、第２電極パターン１３０及び導電膜１４０は、菱形パターン、四角形パターン、三角形パターン、円形パターンなど、当業界に公知された全てのパターンに形成することができる。
【００４３】
前記画像表示装置１５０は、画像を出力する役割を有するものであり、透明基板１１０の他面方向に備える。ここで、画像表示装置１５０は、液晶表示装置（ＬＣＤ、Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、ＥＬ（Ｅｌｅｃｔｒｏｌｕｍｉｎｅｓｃｅｎｃｅ）またはＣＲＴ（Ｃａｔｈｏｄ  Ｒａｙ  Ｔｕｂｅ）などを含む。また、画像表示装置１５０は、透明基板１１０の他面に光学透明接着剤（ＯＣＡ）１５５によって接着させることができる。一方、画像表示装置１５０からノイズが発生するが、上述したように、面状に形成された導電膜１４０によりノイズを遮断することができるため、ＥＭＩ（Ｅｌｅｃｔｒｏ  Ｍａｇｎｅｔｉｃ  Ｉｎｔｅｒｆｅｒｅｎｃｅ）が発生することを防止することができる。
【００４４】
さらに、第１電極パターン１２０の端部には第１電極パターン１２０からの電気的信号を受信する第１電極配線１６０が形成され、第２電極パターン１３０及び導電膜１４０の端部には、第２電極パターン１３０及び導電膜１４０からの電気的信号を受信する第２電極配線１７０が形成される。この際、第１電極配線１６０は、第１電極パターン１２０と一体に形成し、第２電極配線１７０は、第２電極パターン１３０と一体に形成して、製造工程を簡素化し、リードタイム（Ｌｅａｄ  Ｔｉｍｅ）を短縮することができる。
【００４５】
図３は、本発明の好ましい第２実施例によるタッチパネルの分解斜視図であり、図４は、本発明の好ましい第２実施例によるタッチパネルの断面図である。
【００４６】
図３及び図４に図示されたように、本実施例によるタッチパネル２００は、第１透明基板２１０と、第１透明基板２１０の一面にメッシュパターンに形成される第１電極パターン１２０と、第２透明基板２２０と、第２透明基板２２０の一面にメッシュパターンに形成される第２電極パターン１３０と、第２透明基板２２０の一面に面状に形成される導電膜１４０と、第１透明基板２１０の一面と第２透明基板２２０の一面とを接着させる接着層２３０と、第２透明基板２２０の他面方向に備えられる画像表示装置１５０と、を含む構成である。
【００４７】
本実施例によるタッチパネル２００は、上述の第１実施例によるタッチパネル１００と比較して、第１透明基板２１０に第１電極パターン１２０が形成され、第２透明基板２２０に第２電極パターン１３０及び導電膜１４０が形成される点で異なる。従って、本実施例において第１実施例と重複される内容は簡略に説明し、異なる点を中心に説明する。
【００４８】
前記第１、２透明基板２１０、２２０は、第１、２電極パターン１２０、１３０及び導電膜１４０が形成される領域を提供する役割を有する。この際、第１、２透明基板２１０、２２０の一面を活性化させるために、高周波処理またはプライマー（ｐｒｉｍｅｒ）処理を施すことが好ましい。このように、第１、２透明基板２１０、２２０の一面を活性化させることにより、第１、２透明基板２１０、２２０と第１、２電極パターン１２０、１３０との間または第２透明基板２２０と導電膜１４０との間の接着力を向上させることができる。
【００４９】
一方、第１透明基板２１０は、タッチパネル２００の最外側に備えられるウィンドウ（Ｗｉｎｄｏｗ）であることが好ましい。第１透明基板２１０がウィンドウである場合、第１電極パターン１２０がウィンドウに直接形成されるため、別の透明基板に第１電極パターン１２０を形成した後、前記別の透明基板をウィンドウに付着する工程を省略して、製造工程を単純化することができ、タッチパネル２００の全体的な厚さを減少させることができる。
【００５０】
前記第１電極パターン１２０、前記第２電極パターン１３０及び前記導電膜１４０は、ユーザがタッチする際に信号を発生させて、コントローラでタッチ座標を認識できるようにする役割を有するものである。ここで、第１電極パターン１２０は、第１透明基板２１０の一面に形成され、第２電極パターン１３０及び導電膜１４０は、第２透明基板２２０の一面に形成されて、接着層２３０を中心として対向する。
【００５１】
具体的には、第１電極パターン１２０または第２電極パターン１３０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせを用いて、メッシュパターン（Ｍｅｓｈ  Ｐａｔｔｅｒｎ）に形成することができる。一方、第１電極パターン１２０及び第２電極パターン１３０を銅（Ｃｕ）で形成する場合、第１電極パターン１２０及び第２電極パターン１３０の表面を黒化処理することにより、光が反射することを防止することができる。
【００５２】
一方、上述の金属の他にも、第１電極パターン１２０または第２電極パターン１３０は、銀塩乳剤層を露光／現像して形成された金属銀で形成することができる。
【００５３】
また、導電膜１４０は、ポリ−３，４−エチレンジオキシチオフェン／ポリスチレンスルホネート（ＰＥＤＯＴ／ＰＳＳ）、ポリアニリン、ポリアセチレンまたはポリフェニレンビニレンを含む伝導性高分子を用いて面状に形成することができる。このように、第２透明基板２２０の一面に第２電極パターン１３０とともに面状の導電膜１４０が形成されるため、画像表示装置１５０から発生するノイズを効果的に遮断することができ、これにより、ＥＭＩ（Ｅｌｅｃｔｒｏ  Ｍａｇｎｅｔｉｃ  Ｉｎｔｅｒｆｅｒｅｎｃｅ）が発生することを防止することができる。また、面状の導電膜１４０とメッシュパターンの第２電極パターン１３０をともに形成して、面抵抗を低下させることにより、導電膜１４０の厚さを薄く形成することができ、これによってタッチパネル２００の透過率を高めることができる。さらに、面状の導電膜１４０とメッシュパターンの第２電極パターン１３０をともに形成するため、ユーザに認識される第２電極パターン１３０のライン（Ｌｉｎｅ）の数を減らすことができ、これにより、タッチパネル２００の視認性を改善することができる長所がある。
【００５４】
前記接着層２３０は、第１透明基板２１０の一面と第２透明基板２２０の一面とを接着させて、第１電極パターン１２０と第２電極パターン１３０または第１電極パターン１２０と導電膜１４０が対向するように配置する役割を有する。ここで、接着層２３０は、特に制限されるものではないが、光学透明接着剤（Ｏｐｔｉｃａｌ  Ｃｌｅａｒ  Ａｄｈｅｓｉｖｅ；ＯＣＡ）を用いることができる。
【００５５】
前記画像表示装置１５０は、画像を出力する役割を有するものであり、第２透明基板２２０の他面方向に備える。ここで、画像表示装置１５０は、第２透明基板２２０の他面に光学透明接着剤１５５によって接着させることができる。
【００５６】
さらに、第１電極パターン１２０の端部には、第１電極パターン１２０からの電気的信号を受信する第１電極配線１６０が形成され、第２電極パターン１３０及び導電膜１４０の端部には、第２電極パターン１３０及び導電膜１４０からの電気的信号を受信する第２電極配線１７０が形成される。この際、第１電極配線１６０は、第１電極パターン１２０と一体に形成し、第２電極配線１７０は、第２電極パターン１３０と一体に形成して、製造工程を簡素化し、リードタイム（Ｌｅａｄ  Ｔｉｍｅ）を短縮することができる。
【００５７】
図５は、本発明の好ましい第３実施例によるタッチパネルの分解斜視図であり、図６は、本発明の好ましい第３実施例によるタッチパネルの断面図である。
【００５８】
図５及び図６に図示されたように、本実施例によるタッチパネル３００は、透明基板１１０と、透明基板１１０の一面にメッシュパターンに形成される第１電極パターン１２０と、透明基板１１０の一面に形成される絶縁層３１０と、絶縁層３１０の露出面にメッシュパターンに形成される第２電極パターン１３０と、絶縁層３１０の露出面に面状に形成される導電膜１４０と、絶縁層３１０の露出面方向に備えられる画像表示装置１５０と、を含む構成である。
【００５９】
本実施例によるタッチパネル３００は、上述の第１、２実施例によるタッチパネル１００、２００と比較して、透明基板１１０に第１電極パターン１２０が形成され、絶縁層３１０に第２電極パターン１３０及び導電膜１４０が形成される点で異なる。従って、本実施例において第１、２実施例と重複される内容は簡略に説明し、異なる点を中心に説明する。
【００６０】
前記透明基板１１０は、第１電極パターン１２０が形成される領域を提供する役割を遂行する。この際、透明基板１１０の一面を活性化させるために、高周波処理またはプライマー（ｐｒｉｍｅｒ）処理を施すことが好ましい。このように、透明基板１１０の一面を活性化させることにより、透明基板１１０と第１電極パターン１２０との間の接着力を向上させることができる。
【００６１】
一方、透明基板１１０は、タッチパネル３００の最外側に備えられるウィンドウ（Ｗｉｎｄｏｗ）であることが好ましい。透明基板１１０がウィンドウである場合、第１電極パターン１２０がウィンドウに直接形成されるため、別の透明基板に第１電極パターン１２０を形成した後、前記別の透明基板をウィンドウに付着する工程を省略して、製造工程を単純化することができ、タッチパネル３００の全体的な厚さを減少させることができる。
【００６２】
前記絶縁層３１０は、第１電極パターン１２０を保護するとともに、第２電極パターン１３０及び導電膜１４０が形成される領域を提供する役割を有するものであり、第１電極パターン１２０を覆うように透明基板１１０の一面に形成される。ここで、絶縁層３１０は、プリンティング（Ｐｒｉｎｔｉｎｇ）、ＣＶＤ（Ｃｈｅｍｉｃａｌ  Ｖａｐｅｒ  Ｄｅｐｏｓｉｔｉｏｎ）またはスパッタリング（Ｓｐｕｔｔｅｒｉｎｇ）などの方法により、エポキシ（Ｅｐｏｘｙ）またはアクリル系（Ａｃｒｙｌｉｃ）の樹脂、ＳｉＯｘ薄膜、またはＳｉＮｘ薄膜などで形成することができる。
【００６３】
前記第１電極パターン１２０、前記第２電極パターン１３０及び前記導電膜１４０は、ユーザがタッチする際に信号を発生させて、コントローラでタッチ座標を認識できるようにする役割を有するものである。ここで、第１電極パターン１２０は、透明基板１１０の一面に形成され、第２電極パターン１３０及び導電膜１４０は、絶縁層３１０の露出面に形成されて、絶縁層３１０を中心として対向する。
【００６４】
具体的には、第１電極パターン１２０または第２電極パターン１３０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせを用いて、メッシュパターン（Ｍｅｓｈ  Ｐａｔｔｅｒｎ）に形成することができる。一方、第１電極パターン１２０及び第２電極パターン１３０を銅（Ｃｕ）で形成する場合、第１電極パターン１２０及び第２電極パターン１３０の表面を黒化処理することにより、光が反射することを防止することができる。
【００６５】
一方、上述の金属の他にも、第１電極パターン１２０または第２電極パターン１３０は、銀塩乳剤層を露光／現像して形成された金属銀で形成することができる。
【００６６】
また、導電膜１４０は、ポリ−３，４−エチレンジオキシチオフェン／ポリスチレンスルホネート（ＰＥＤＯＴ／ＰＳＳ）、ポリアニリン、ポリアセチレンまたはポリフェニレンビニレンを含む伝導性高分子を用いて面状に形成することができる。このように、第２透明基板２２０の一面に第２電極パターン１３０とともに、面状の導電膜１４０が形成されるため、画像表示装置１５０から発生するノイズを効果的に遮断することができ、これにより、ＥＭＩ（Ｅｌｅｃｔｒｏ  Ｍａｇｎｅｔｉｃ  Ｉｎｔｅｒｆｅｒｅｎｃｅ）が発生することを防止することができる。また、面状の導電膜１４０とメッシュパターンの第２電極パターン１３０をともに形成して、面抵抗を低下させることにより、導電膜１４０の厚さを薄く形成することができ、これによってタッチパネル３００の透過率を高めることができる。さらに、面状の導電膜１４０とメッシュパターンの第２電極パターン１３０をともに形成するため、ユーザに認識される第２電極パターン１３０のライン（Ｌｉｎｅ）の数を減らすことができ、これにより、タッチパネル３００の視認性を改善することができる。
【００６７】
前記画像表示装置１５０は、画像を出力する役割を有するものであり、絶縁層３１０の露出面方向に備える。また、画像表示装置１５０は、絶縁層３１０の露出面に光学透明接着剤１５５によって接着させることができる。
【００６８】
さらに、第１電極パターン１２０の端部には、第１電極パターン１２０からの電気的信号を受信する第１電極配線１６０が形成され、第２電極パターン１３０及び導電膜１４０の端部には、第２電極パターン１３０及び導電膜１４０からの電気的信号を受信する第２電極配線１７０が形成される。この際、第１電極配線１６０は、第１電極パターン１２０と一体に形成し、第２電極配線１７０は、第２電極パターン１３０と一体に形成して、製造工程を簡素化し、リードタイム（Ｌｅａｄ  Ｔｉｍｅ）を短縮することができる。
【００６９】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００７０】
本発明の単純な変形乃至変更はいずれも本発明の領域に属するものであり、本発明の具体的な保護範囲は添付の特許請求の範囲により明確になるであろう。
【産業上の利用可能性】
【００７１】
本発明は、画像表示装置から発生するノイズを効果的に遮断することができるタッチパネルに適用可能である。
【符号の説明】
【００７２】
１００、２００、３００  タッチパネル
１１０  透明基板
１２０  第１電極パターン
１３０  第２電極パターン
１４０  導電膜
１５０  画像表示装置
１５５  光学透明接着剤
１６０  第１電極配線
１７０  第２電極配線
２１０  第１透明基板
２２０  第２透明基板
２３０  接着層
３１０  絶縁層
【図１】
2013105488.tif 000003
【図２】
2013105488.tif 000004
【図３】
2013105488.tif 000005
【図４】
2013105488.tif 000006
【図５】
2013105488.tif 000007
【図６】
2013105488.tif 000008